(57)【特許請求の範囲】
【請求項１】
底面の周囲から上方開口部に向けて拡開しながら傾斜する側壁を有する略矩形状のトレイ部と、
前記側壁の一部を上方に山形に膨出させて形成され、内側に空間部を有するラップ掛け用の支持突起とを備え、
前記支持突起の少なくとも両側に位置する隅部に、側壁の一部を外側に突出させて受け部を設け、この受け部の傾斜角を前記支持突起の傾斜角より大に形成して、この包装用容器の支持突起を他の包装用容器の支持突起上に挿入し相互に積み重ねたとき、前記各受け部が他の包装用容器の受け部内面に夫々当接するようにしたことを特徴とする包装用容器。
【発明の詳細な説明】
【０００１】
【発明の属する技術分野】
本考案は、ラップ掛け用の支持突起を有する包装用容器に関し、特に、複数枚を水平に積み重ねるようにした包装用容器に関するものである。
【０００２】
【従来の技術】
例えば、刺身等の食品を収納する包装用容器においては、収納物の鮮度を保ちながら外からもよく見えるようにするために、透明フィルムである所謂ラップを掛けている。そして、容器から突出させた支持突起にラップを支持させて、ラップが収納物に接触しないようにすべく、両者間に隙間を形成するようにしたものがある。
【０００３】
出願人に関連する岐阜プラスチック工業株式会社（本社；岐阜市）は、既に実願平５−３８３８１号にて、機械によりラップ掛けができる包装用容器１を開示している。これは、図６に示すように、「底面２の周囲から上方開口部に向けて傾斜する側壁３を有する略四角形状の包装用容器１であって、側壁３の一部を、上方に膨出させることにより、当該側壁３上辺から上方へ突出する支持突起４を形成した」ものである。
【０００４】
【発明が解決しようとする課題】
この包装用容器１は、一般に、成形時或は運搬に際しては、複数個を相互に積み重ねている。上述の包装用容器１においては、支持突起４の空間部に、他の包装用容器１の支持突起４を挿入して重ねている。
【０００５】
然しながら、支持突起４は側壁３から上方へ膨出しているものであるし、この種の容器１は発泡合成樹脂シートを圧空または真空成形されることが一般であるので、成形時に肉厚が変動しやすく、また支持突起４が傾むいた場合には、図７に示すように、上下の支持突起４が空間部内で接触したときの相互の接触点が変動して、包装用容器１の外周端部に隙間が発生することがある。このような状況においては、包装用容器１の水平度が保ちにくく、多数の包装用容器１を重ねたときは、上方の包装用容器１が点線で示すように傾斜するので、全体が倒れ易くなり、積み重ね段数が少なくなるという問題がある。また、支持突起を形成している側壁側は、上下の支持突起が空間内の一部で接触しているのみであるため、この上下側壁隅部間には少しの隙間が存在する。そのために、少しの力でも隅部に掛かると、上の包装容器が傾斜するという問題がある。よって、積み重ねた各包装用容器１が倒れ易いということは、各包装用容器１内に刺身等の収納物を収納する作業を行いにくくするということでもあり、例えばこの種の容器１を１個づつ機械的に取り出すという作業を困難にしているのである。
【０００６】
本発明は、上記の事情に鑑みてなされたもので、その目的は、多数の包装用容器を安定して水平に積み重ねることができる包装用容器を提供するにある。
【０００７】
【課題を解決するための手段】
本発明は、実施例において使用する符号を付して説明すると、
「底面１２の周囲から上方開口部に向けて拡開しながら傾斜する側壁１３を有する略矩形状のトレイ部１１と、
側壁１３の一部を上方に山形に膨出させて形成され、内側に空間部１５ａを有するラップ掛け用の支持突起１５とを備え、
支持突起１５の少なくとも両側に位置する隅部に、側壁の一部を外側に突出させて受け部１６を設け、この受け部１６の傾斜角を支持突起１５の傾斜角より大に形成して、この包装用容器１０の支持突起１５を他の包装用容器１０の支持突起１５の上に挿入し相互に積み重ねたとき、各受け部１６が他の包装用容器の受け部１６内面に夫々当接するようにしたことを特徴とする包装容器１０」
である。
【０００８】
【発明の実施の形態】
以下、本発明の包装用容器１０につき図１〜図５を参照して説明する。
先ず、図２及び図３において、トレイ部１１は、シート状の合成樹脂材料、例えば発泡ポリスチレン性合成樹脂材料により略均一の厚さに成形されたものであり、矩形状の底面１２の周囲から拡開しながら傾斜する側壁１３が形成され、上面が開放する矩形状をなしている。
【０００９】
なお、本実施形態の包装用容器１０では、その底面１２の略中央部に、図２に示すように、屈曲中心部１４が形成してある。この屈曲中心部１４は、これを中心として底面１２を左右に湾曲または屈曲させた場合の稜線となるものであり、底面１２自体の剛性を高め、結果的に当該包装用容器１０全体の剛性を高めるものである。また、この屈曲中心部１４は、これから底面１２を傾斜させていることから、刺身等が含んでいた液汁を底面１２の両側に流すことになり、刺身等の味の低下を防止するものである。更に、各側壁に対しても底面１２と同じような稜線を設け、剛性を高めている。
【００１０】
長辺側の一方の側壁１３には、図４に示すように、側壁１３の傾斜幅Ｌの範囲内で一部を上方に山形に膨出させて支持突起１５が形成されている。この支持突起１５の内側には空間部１５ａが形成されており、その中心線は屈曲中心部１４に直交し、側壁１３から上方へ突出している。この支持突起１５は、ラップを掛けるとときこのラップを支持して、ラップが収容物に接触しないようにしている。また、収納物を無駄なくきれいに並べることができる。
【００１１】
受け部１６は、支持突起１５の少なくとも両側に位置する隅部に形成されている。即ち、図５に二点鎖線で示すように、トレイ部１１の上端開口部と底面１２の外周部を連結する側壁１３Ａの中間の一部を外側に突出させて形成されており、下端部１６ａが側壁１３Ａに連結される。本実施例においては、容器内面の形状を平滑化するため、受け部１６の下端部１６ａを、実線で示すように、底面１１の外周部に連結している。尚、受け部１６の傾斜角αは、支持突起１５の傾斜角よりも大に形成されている。
【００１２】
つぎに、図１において、２個の包装用容器１０、例えば、包装用容器１０Ａと包装用容器１０Ｂを重ねる場合について説明する。
【００１３】
包装用容器１０Ａを包装用容器１０Ｂの上方に置き、包装用容器１０Ａの支持突起１５の空間部１５ａ内に、包装用容器１０Ｂの支持突起１５を挿入しながら降下させると、包装用容器１０Ａの４隅の受け部１６の下端部１６ａが、夫々対向する包装用容器１０Ｂの受け部１６の内面に当接して停止し、上部の包装用容器１０Ａが包装用容器１０Ｂの上に水平状態に載置される。そして、包装用容器１０Ａと包装用容器１０Ｂとの間には、間隔Ｈが確保されている。
【００１４】
この場合、包装用容器１０Ａの空間部１５ａと、包装用容器１０Ｂの支持突起１５との間には隙間Ｇが存在しているので、支持突起１５により包装用容器１０Ａが傾斜することはない。
【００１５】
包装用容器１０Ａの上に、他の包装用容器１０を重ねる場合は、上述の工程を繰り返せばよい。このようにして、複数の包装用容器１０が複数段に水平状態に安定して積み重ねられる。
【００１６】
上記実施例によれば、トレイ部１１の隅に受け部１６を設け、包装用容器１０を重ねたとき、上部の包装用容器１０の各受け部１６を、下部の包装用容器１０の対向する受け部１６に当接するようにしたので、支持突起１５を有する場合であっても、上下の包装用容器１０が水平に重ねられて、包装用容器１０を多段に安定して積載できるという効果を奏するものである。また、隙間Ｇが存在しているため強い力が各方向から働らいても、隙間Ｇがなくなり支持突起同士が当接することとなり、転倒することは免れる。
【００１７】
【発明の効果】
本発明は、底面の周囲から上方開口部に向けて拡開しながら傾斜する側壁を有する略矩形状のトレイ部と、
前記側壁の一部を上方に山形に膨出させて形成され、内側に空間部を有するラップ掛け用の支持突起とを備え、
前記支持突起の少なくとも両側に位置する隅部に、側壁の一部を外側に突出させて受け部を設け、この受け部の傾斜角を前記支持突起の傾斜角より大に形成して、この包装用容器の支持突起を他の包装用容器の支持突起上に挿入し相互に積み重ねたとき、前記各受け部が他の包装用容器の受け部内面に夫々当接するようにしたので、多数の包装用容器を水平に安定して積み重ねることができるという効果を奏するものである。
【００１８】
【図面の簡単な説明】
【図１】  本実施例の包装用容器を積みかさねた状態における一部を破断した縦断側面図である。
【図２】  包装用容器の斜視図である。
【図３】  図２に示すＢ−Ｂ線に沿って破断した断面図である。
【図４】  図２に示すＡ−Ａ線に沿って破断した断面図である。
【図５】  受け部の拡大縦断面図である。
【図６】  従来例の包装用容器の斜視図である。
【図７】  包装用容器を積みかさねた状態における一部を破断した縦断側面図である。
【符号の説明】
１０  包装用容器
１０Ａ包装用容器
１０Ｂ包装用容器
１１  トレイ部
１２  底面
１３  側壁
１３ａ側壁
１５  支持突起
１５ａ空間部
１６  受け部
１６ａ下端部
【図１】
0003677642.tif 000002
【図２】
0003677642.tif 000003
【図３】
0003677642.tif 000004
【図４】
0003677642.tif 000005
【図５】
0003677642.tif 000006
【図６】
0003677642.tif 000007
【図７】
0003677642.tif 000008